(57)【要約】【課題】プラズマディスプレイなどの表示装置において、ガラス基板の着色により表示に与える影響を減らすことを目的とする。【解決手段】フロート法で形成されたガラス基板上に銀電極を形成した前面板を表示面側に用いた表示装置であって、ＰＤＰパネル２１の前面板１の表示面側に、表示面の反射光の分光特性に対して補色関係となる光透過特性を有する色補正フィルター２２を配置したものである。【選択図】　図１
2004109545.tif 000002
【特許請求の範囲】
【請求項１】
フロート法で形成されたガラス基板上に銀電極を形成した前面板を表示面側に用いた表示装置であって、前記前面板の表示面側に、表示面の反射光の分光特性に対して補色関係となる光透過特性を有する色補正フィルターを配置したことを特徴とする表示装置。
【請求項２】
色補正フィルターは、緑色光及び赤色光の少なくとも一方の領域での光透過率が青色光領域での光透過率よりも低い特性を有するものである請求項１記載の表示装置。
【請求項３】
色補正フィルターは、主として波長５９５ｎｍ近傍の光を吸収して赤色光領域での光透過率を低減させるものである請求項１または２記載の表示装置。
【発明の詳細な説明】
【０００１】
【発明の属する技術分野】
本発明は、プラズマディスプレイなどの表示装置に関するものである。
【０００２】
【従来の技術】
近年、プラズマディスプレイパネル（ＰＤＰ）を用いた表示装置は、視認性に優れた表示パネル（薄型表示デバイス）として注目されており、高精細化および大画面化が進められている。
【０００３】
このＰＤＰには、大別して、駆動的にはＡＣ型とＤＣ型があり、放電形式では面放電型と対向放電型の２種類があるが、高精細化、大画面化および製造の簡便性から、現状では、ＡＣ型で面放電型のＰＤＰが主流を占めるようになってきている。
【０００４】
図７にＰＤＰにおけるパネル構造の一例を示している。図７に示すように、ガラス基板などの透明な前面板１上には、走査電極２と維持電極３とで対をなす表示電極４が複数対形成され、そして前面板１上の隣り合う表示電極４間には遮光層５が配置形成されている。この走査電極２および維持電極３は、それぞれ透明電極２ａ、３ａおよびこの透明電極２ａ、３ａに電気的に接続された銀電極２ｂ、３ｂとから構成されている。また、前記前面板１には、前記複数対の電極群を覆うように誘電体層６が形成され、その誘電体層６上には保護膜７が形成されている。
【０００５】
また、前記前面板１に対向配置される背面板８上には、走査電極２及び維持電極３の表示電極４と直交する方向に、絶縁体層９で覆われた複数のデータ電極１０が形成されている。このデータ電極１０間の絶縁体層９上には、複数の隔壁１１が配置され、この隔壁１１間の側面１１ａおよび絶縁体層９の表面に蛍光体層１２が設けられている。
【０００６】
これらの前面板１と背面板８とは、走査電極２および維持電極３とデータ電極１０とが直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁１１によって複数の区画に仕切ることにより、表示電極４とデータ電極１０との交点が位置する複数の放電セル１３が設けられ、その各放電セル１３には、赤色、緑色及び青色となるように蛍光体層１２が一色ずつ順次配置されている。
【０００７】
このパネル本体の電極配列は、図８に示すように、Ｍ行×Ｎ列の放電セルからなるマトリックス構成であり、行方向にはＭ行の走査電極ＳＣＮ１〜ＳＣＮＭおよび維持電極ＳＵＳ１〜ＳＵＳＭが配列され、列方向にはＮ列のデータ電極Ｄ１〜ＤＮが配列されている（例えば、特許文献１参照）。
【０００８】
【特許文献１】
特開２０００−１６４１４５号公報
【０００９】
【発明が解決しようとする課題】
このＰＤＰにおいては、前面板１にフロート法で形成したガラス基板を用いるものと非フロート法のガラス基板を用いるものがある。また、電極にはコストの有利性などの面から銀材料で形成する方法が多く用いられている。
【００１０】
ところで、フロート法で形成したガラス基板に、銀材料の電極を形成しこれを熱処理した場合に基板全面が黄色あるいは茶色の変色を示すことがよく知られている。表示装置の表示面側に用いられる基板にこの変色が生じると、表示面側から見た時の反射光が黄色あるいは茶色系統の色に見え、また、表示される画像が青色発色の弱い色合いの良くない表示となるなどの問題があった。
【００１１】
特に、ＰＤＰは、フロート法で形成されたガラス基板に電極として銀電極を用い、基板熱処理として５００℃以上の高温処理が行われるため、基板に黄色あるいは茶色の変色（着色）が発生し点灯表示画面の色や非点灯時の画面色合いが自然でないなどの課題があった。
【００１２】
本発明はこのような課題に鑑みなされたもので、ガラス基板の着色により表示に与える影響を減らすことを目的とするものである。
【００１３】
【課題を解決するための手段】
この課題を解決するため、本発明の表示装置では、前面板の表示面側に、表示面の反射光の分光特性に対して補色関係となる光透過特性を有する色補正フィルターを配置したものである。
【００１４】
この構成により、点灯表示画面の色や非点灯時の画面色合いを自然な色合いにし、より高画質な画像とすることができる。
【００１５】
【発明の実施の形態】
すなわち、本発明の請求項１に記載の発明は、フロート法で形成されたガラス基板上に銀電極を形成した前面板を表示面側に用いた表示装置であって、前記前面板の表示面側に、表示面の反射光の分光特性に対して補色関係となる光透過特性を有する色補正フィルターを配置したことを特徴とする。
【００１６】
また、請求項２に記載の発明は、請求項１において、色補正フィルターとして、緑色光及び赤色光の少なくとも一方の領域での光透過率が青色光領域での光透過率よりも低い特性を有するものを用いるものである。
【００１７】
また、請求項３に記載の発明は、請求項１または２において、色補正フィルターとして、主として波長５９５ｎｍ近傍の光を吸収して赤色光領域での光透過率を低減させるものを用いるものである。
【００１８】
以下、本発明の一実施の形態によるＰＤＰを用いた表示装置について、図１〜図６を用いて説明する。
【００１９】
（実施の形態１）
図１に本発明の実施の形態１によるＰＤＰを用いた表示装置を示しており、図１において、２１は図７に示すＰＤＰパネルで、このＰＤＰパネル２１の前面板１の表示面側に、約５ｍｍの間隔をあけて色補正フィルター２２が配置されている。また、ＰＤＰパネル２１は、ＰＤＰパネル２１と色補正フィルター２２の間に周辺光が入らないように、周辺光遮断部材であるケース２３に収容されている。
【００２０】
次に、色補正フィルター２２について説明する。
【００２１】
図２の曲線ａは、透明電極付きのフロート法で形成したガラス基板上に、銀ペーストを用いて電極パターンを焼き付け形成した前面板を用いてＰＤＰパネル２１を作成し、そのＰＤＰパネル２１の表面側から色彩計で反射光を測定した反射光分光スペクトル分布である。この図２から明らかなように、ＰＤＰパネル２１の基板では青色部での反射が低く、緑色および赤色での反射光が相対的に高い傾向となっている。このパネルを白色光照明下で見ると、明らかに黄色から茶色という色を呈していた。
【００２２】
このＰＤＰパネル２１の表示面側に、図３の透過光分布に示すように、黄色から茶色の基板反射光とは補色関係にある青色で比較的高い透過光スペクトル分布のフィルム状の色補正フィルター２２を配置し、このパネルを色彩計で反射光を測定したところ、図２の曲線ｂのような反射光スペクトル分布が得られた。フィルターの効果により可視スペクトル全域にわたってほぼ均一な反射光となっている。
【００２３】
このフィルム状の色補正フィルター２２を配置したＰＤＰパネル２１を白色光下で見ると、ニュートラルグレイ（自然灰色）に見え、色の偏った不自然な反射光に見えることはなかった。
【００２４】
（実施の形態２）
実施の形態１の黄色から茶色の反射光を示すＰＤＰパネル２１の表示面側に、図４に示すような５９５ｎｍ波長付近に深い吸収を持ち、かつ青色で比較的高い透過光スペクトル分布を持つフィルム状の色補正フィルター２２を配置した。なお、この色補正フィルターは、単体での色調は青色系に見え、黄色から茶色のＰＤＰパネルの前面板反射光とは補色関係にある。
【００２５】
この実施の形態２のフィルム状色補正フィルターを配置したＰＤＰパネルを白色光下で見ると、ニュートラルグレイ（自然灰色）に見えて色の偏った不自然な反射光に見えることはなかった。
【００２６】
また、この実施の形態２の色補正フィルターを配置したＰＤＰパネル２１を各色単色点灯したときのカラーポイントは、青色が図５中のｃ、赤色が図６中のｅの黒丸ポイントに示すようになっており、フィルターなしのＰＤＰパネルのカラーポイント（図５中のｄ、図６中のｆ）と比べて赤色および青色で色純度の向上が見られた。
【００２７】
以上の説明から明らかなように、前面板の黄色あるいは茶色の変色（着色）があっても、点灯表示画面の色や非点灯時の画面色合いを自然な色合いにし、より高画質な画像とすることができるものである。
【００２８】
なお、上記実施の形態では、ＰＤＰパネルにおける効果のみを示しているが、ＰＤＰ以外でも前面板にフロート法によるガラス基板を用い、銀電極を形成した構成で熱処理を必要とする表示装置であれば、同様の効果が得られる。また、色補正フィルターは、図１に示すようにパネルに間隔を開けて配置する構成以外に、パネルの前面板に直接貼り付ける構成としてもよい。
【００２９】
【発明の効果】
以上の説明から明らかなように本発明によれば、基板の黄色あるいは茶色の変色（着色）により点灯表示画面の色や非点灯時の画面色合いが自然でないという課題を解消し、点灯表示画面の色や非点灯時の画面色合いを自然な色合いにし、より高画質な画像とすることができるものである。
【図面の簡単な説明】
【図１】本発明の一実施の形態によるＰＤＰパネルを用いた表示装置の概略構成を示す断面図
【図２】色補正フィルターを配置した本発明の表示装置と色補正フィルターのない表示装置の分光反射スペクトルを比較して示す図
【図３】本発明の一実施の形態における色補正フィルターの分光透過スペクトルを示す図
【図４】本発明の他の実施の形態における色補正フィルターの分光透過スペクトルを示す図
【図５】色補正フィルターを配置した本発明の表示装置と色補正フィルターのない表示装置の青色カラーポイントを示す図
【図６】色補正フィルターを配置した本発明の表示装置と色補正フィルターのない表示装置の赤色カラーポイントを示す図
【図７】プラズマディスプレイパネルの一例を示す斜視図
【図８】同パネルの電気配線図
【符号の説明】
１　前面板
２１　ＰＤＰパネル
２２　色補正フィルター
【図１】
2004109545.tif 000003
【図２】
2004109545.tif 000004
【図３】
2004109545.tif 000005
【図４】
2004109545.tif 000006
【図５】
2004109545.tif 000007
【図６】
2004109545.tif 000008
【図７】
2004109545.tif 000009
【図８】
2004109545.tif 000010